(57)【要約】      （修正有）【課題】高精度かつ効率的な焦点検出装置を提供する。【解決手段】焦点検出装置は、光学系の瞳の第１及び第２の領域を通過する第１及び第２の光束による第１及び第２の像を光電変換した第１及び第２の信号を出力するイメージセンサと、第１及び第２の信号をシフトして相関演算し、第１及び第２の信号の第１ズレ量を検出する第１ズレ量検出部と、第１ズレ量に基づき第１デフォーカス量を算出する第１デフォーカス量算出部と、第１デフォーカス量が定められた値以内である場合に、第１及び第２の信号をシフトする毎に加算して算出した複数の加算信号に基づき、第１及び第２の信号の第２ズレ量を検出する第２ズレ量検出部と、第２ズレ量に基づき第２デフォーカス量を算出する第２デフォーカス量算出部と、を備え、第１デフォーカス量が定められた値を越える場合には、焦点調節のために第１デフォーカス量を使用する。【選択図】図６
2018049281.tif 000002
【特許請求の範囲】
【請求項１】
光学系の瞳の第１及び第２の領域を通過する第１及び第２の光束が形成する第１及び第
２の像を光電変換した複数の信号をそれぞれ有する第１及び第２の信号を出力するイメー
ジセンサと、
前記第１及び第２の信号を相対的にシフトして相関演算し、前記第１及び第２の信号の
相対的な第１のズレ量を検出する第１のズレ量検出部と、
前記第１のズレ量に基づき第１のデフォーカス量を算出する第１のデフォーカス量算出
部と、
前記第１のデフォーカス量が定められた値以内である場合に、前記第１及び第２の信号
を相対的にシフトする毎に加算して算出した複数の加算信号に基づき、前記第１及び第２
の信号の相対的な第２のズレ量を検出する第２のズレ量検出部と、
前記第２のズレ量に基づき第２のデフォーカス量を算出する第２のデフォーカス量算出
部と、を備え、
前記第１のデフォーカス量が前記定められた値を越える場合には、焦点調節のために前
記第１のデフォーカス量を使用する焦点検出装置。
【請求項２】
光学系の瞳の第１及び第２の領域を通過する第１及び第２の光束が形成する第１及び第
２の像を光電変換した複数の信号をそれぞれ有する第１及び第２の信号を出力するイメー
ジセンサと、
前記第１及び第２の信号を相対的にシフトして相関演算し、前記第１及び第２の信号の
相対的な第１のズレ量を検出する第１のズレ量検出部と、
前記第１のズレ量に基づき第１のデフォーカス量を算出する第１のデフォーカス量算出
部と、
前記第１のデフォーカス量が定められた値以内であり、前記光学系の収差量が定められ
た値を超える場合に、前記第１及び第２の信号を相対的にシフトする毎に加算して算出し
た複数の加算信号に基づき、前記第１及び第２の信号の相対的な第２のズレ量を検出する
第２のズレ量検出部と、
前記第２のズレ量とに基づき第２のデフォーカス量を算出する第２のデフォーカス量算
出部と、を備え、
前記第１のデフォーカス量が定められた値以内であり、前記光学系の収差量が前記定め
られた値を超えない場合には、焦点調節のために前記第１のデフォーカス量を使用する焦
点検出装置。
【請求項３】
光学系の瞳の第１及び第２の領域を通過する第１及び第２の光束が形成する第１及び第
２の像を光電変換した複数の信号をそれぞれ有する第１及び第２の信号を出力するイメー
ジセンサと、
前記第１及び第２の信号を相対的にシフトして相関演算し、前記第１及び第２の信号の
相対的な第１のズレ量を検出する第１のズレ量検出部と、
前記第１及び第２の信号を相対的にシフトする毎に加算して算出した複数の加算信号に
基づき、前記第１及び第２の信号の相対的な第２のズレ量を検出する第２のズレ量検出部
と、
前記光学系の収差量が定められた値以下の場合には前記第１のズレ量を使用し、前記収
差量が前記定められた値を超える場合には前記第２のズレ量を使用して前記光学系の焦点
調節レンズの制御量を演算する、又は前記光学系の絞りＦ値が定められた値以上の場合に
は前記第１のズレ量を使用し、前記絞りＦ値が前記定められた値未満の場合には前記第２
のズレ量を使用して前記光学系の焦点調節レンズの制御量を演算する、又は前記光学系の
射出瞳距離が定められた範囲以内の場合には前記第１のズレ量を使用し、前記射出瞳距離
が前記定められた範囲外の場合には前記第２のズレ量を使用して前記光学系の焦点調節レ
ンズの制御量を演算する、又は前記光学系の光軸に対する前記第１及び第２の像の像高が
定められた値未満の場合には前記第１のズレ量を使用し、前記像高が前記定められた値以
上の場合には前記第２のズレ量を使用して前記光学系の焦点調節レンズの制御量を演算す
る、又は焦点検出速度優先処理を行う場合には前記第１のズレ量を使用し、焦点検出精度
優先処理を行う場合には前記第２のズレ量を使用して前記光学系の焦点調節レンズの制御
量を演算する、又は前記第１及び第２の像の鮮鋭度、解像度、又は周波数特性に基づいて
評価した像品質が良好でない場合には前記第１のズレ量を使用し、前記像品質が良好であ
る場合には前記第２のズレ量を使用して前記光学系の焦点調節レンズの制御量を演算する
焦点演算部と
を有する焦点検出装置。
【請求項４】
請求項３に記載の焦点検出装置において、
被写体輝度を検出する輝度検出部を備え、
前記焦点演算部は、前記焦点検出速度優先処理を行う場合には前記第１のズレ量を使用
し、前記焦点検出精度優先処理を行う場合には前記第２のズレ量を使用して前記光学系の
焦点調節レンズの制御量を演算し、
前記焦点演算部は、前記被写体輝度が定められた値未満である場合に、前記焦点検出速
度優先処理を行い、前記被写体輝度が前記定められた値以上である場合に、前記焦点検出
精度優先処理を行う焦点検出装置。
【請求項５】
請求項４に記載の焦点検出装置において、
被写体が移動被写体か、静止被写体かを検出する移動検出部を備え、
前記焦点演算部は、前記被写体が移動被写体である場合に、前記焦点検出速度優先処理
を行い、前記被写体が静止被写体である場合に、前記焦点検出精度優先処理を行う焦点検
出装置。
【請求項６】
請求項４又は５に記載の焦点検出装置において、
前記焦点検出装置のブレ量を検出するブレ量検出部を備え、
前記焦点演算部は、前記ブレ量が定められた値以上である場合に、前記焦点検出速度優
先処理を行い、前記ブレ量が前記定められた値未満である場合に、前記焦点検出精度優先
処理を行う焦点検出装置。
【請求項７】
請求項１〜６のいずれか１項に記載の焦点検出装置において、
前記第２のズレ量検出部は、前記複数の加算信号に基づき前記加算信号の鮮鋭度、解像
度、コントラスト又は周波数特性に関する前記シフト毎の複数の像品質評価値を算出し、
前記像品質評価値に基づき前記第２のズレ量を検出する焦点検出装置。
【請求項８】
請求項７に記載の焦点検出装置において、
前記第２のズレ量検出部は、前記シフト毎の複数の前記像品質評価値のうち定められた
値になるときの前記像品質評価値に対応する前記第１及び第２の信号の相対的なシフト量
を、前記第２のズレ量として検出する焦点検出装置。
【請求項９】
請求項８に記載の焦点検出装置において、
前記定められた値は、前記像品質評価値のうちの最大値である焦点検出装置。
【請求項１０】
請求項１〜９のいずれか１項に記載の焦点検出装置と、
前記第１及び第２のズレ量検出部の前記第１及び第２のズレ量に基づき前記光学系の焦
点を調節する焦点調節部と、を備える撮像装置。
【発明の詳細な説明】
【技術分野】
【０００１】
本発明は瞳分割型位相差検出方式の焦点検出装置及び撮像装置に関する。
【背景技術】
【０００２】
瞳分割型位相差検出方式の焦点検出装置が知られている（例えば、特許文献１参照）。
その焦点検出装置は、光学系の射出瞳を通る一対の焦点検出光束が形成する一対の像に応
じた一対の像信号を生成する。その一対の像信号を相対的にシフトして周知の相関演算を
施すことにより、その相対的にシフトした一対の被写体像信号パターンの一致度を表す相
関値を算出する。その相関値に基づき、その相対的にシフトした一対の被写体像信号パタ
ーンの一致度が最大となるシフト量を、その一対の被写体像の相対的な像ズレ量として検
出する。それとともに、その像ズレ量に応じて光学系の焦点調節状態を検出する。その光
学系の焦点調節状態は、予定焦点面と検出された像面との差、すなわちデフォーカス量で
表される。
【先行技術文献】
【特許文献】
【０００３】
【特許文献１】特開２００７−２３３０３２号公報
【発明の概要】
【発明が解決しようとする課題】
【０００４】
上記従来の瞳分割型位相差検出方式の焦点検出装置では、大きくデフォーカスしている
場合であっても、光学系の収差などの影響が無い限り、比較的高い像ズレ検出精度、かつ
比較的短い処理時間での焦点検出が可能である。しかし、光学系の収差などの影響により
、一対の被写体像パターンの同一性、すなわち像の形成位置以外の像波形（像パターン）
の同一性が低下した場合には、像ズレ検出誤差が生じ、結果的に焦点検出精度が低下する
という問題があった。
【課題を解決するための手段】
【０００５】
請求項１に記載の焦点検出装置は、光学系の瞳の第１及び第２の領域を通過する第１及
び第２の光束が形成する第１及び第２の像を光電変換した複数の信号をそれぞれ有する第
１及び第２の信号を出力するイメージセンサと、前記第１及び第２の信号を相対的にシフ
トして相関演算し、前記第１及び第２の信号の相対的な第１のズレ量を検出する第１のズ
レ量検出部と、前記第１のズレ量に基づき第１のデフォーカス量を算出する第１のデフォ
ーカス量算出部と、前記第１のデフォーカス量が定められた値以内である場合に、前記第
１及び第２の信号を相対的にシフトする毎に加算して算出した複数の加算信号に基づき、
前記第１及び第２の信号の相対的な第２のズレ量を検出する第２のズレ量検出部と、前記
第２のズレ量に基づき第２のデフォーカス量を算出する第２のデフォーカス量算出部と、
を備え、前記第１のデフォーカス量が前記定められた値を越える場合には、焦点調節のた
めに前記第１のデフォーカス量を使用する。
請求項２に記載の焦点検出装置は、光学系の瞳の第１及び第２の領域を通過する第１及
び第２の光束が形成する第１及び第２の像を光電変換した複数の信号をそれぞれ有する第
１及び第２の信号を出力するイメージセンサと、前記第１及び第２の信号を相対的にシフ
トして相関演算し、前記第１及び第２の信号の相対的な第１のズレ量を検出する第１のズ
レ量検出部と、前記第１のズレ量に基づき第１のデフォーカス量を算出する第１のデフォ
ーカス量算出部と、前記第１のデフォーカス量が定められた値以内であり、前記光学系の
収差量が定められた値を超える場合に、前記第１及び第２の信号を相対的にシフトする毎
に加算して算出した複数の加算信号に基づき、前記第１及び第２の信号の相対的な第２の
ズレ量を検出する第２のズレ量検出部と、前記第２のズレ量とに基づき第２のデフォーカ
ス量を算出する第２のデフォーカス量算出部と、を備え、前記第１のデフォーカス量が定
められた値以内であり、前記光学系の収差量が前記定められた値を超えない場合には、焦
点調節のために前記第１のデフォーカス量を使用する。
請求項３に記載の焦点検出装置は、光学系の瞳の第１及び第２の領域を通過する第１及
び第２の光束が形成する第１及び第２の像を光電変換した複数の信号をそれぞれ有する第
１及び第２の信号を出力するイメージセンサと、前記第１及び第２の信号を相対的にシフ
トして相関演算し、前記第１及び第２の信号の相対的な第１のズレ量を検出する第１のズ
レ量検出部と、前記第１及び第２の信号を相対的にシフトする毎に加算して算出した複数
の加算信号に基づき、前記第１及び第２の信号の相対的な第２のズレ量を検出する第２の
ズレ量検出部と、前記光学系の収差量が定められた値以下の場合には前記第１のズレ量を
使用し、前記収差量が前記定められた値を超える場合には前記第２のズレ量を使用して前
記光学系の焦点調節レンズの制御量を演算する、又は前記光学系の絞りＦ値が定められた
値以上の場合には前記第１のズレ量を使用し、前記絞りＦ値が前記定められた値未満の場
合には前記第２のズレ量を使用して前記光学系の焦点調節レンズの制御量を演算する、又
は前記光学系の射出瞳距離が定められた範囲以内の場合には前記第１のズレ量を使用し、
前記射出瞳距離が前記定められた範囲外の場合には前記第２のズレ量を使用して前記光学
系の焦点調節レンズの制御量を演算する、又は前記光学系の光軸に対する前記第１及び第
２の像の像高が定められた値未満の場合には前記第１のズレ量を使用し、前記像高が前記
定められた値以上の場合には前記第２のズレ量を使用して前記光学系の焦点調節レンズの
制御量を演算する、又は焦点検出速度優先処理を行う場合には前記第１のズレ量を使用し
、焦点検出精度優先処理を行う場合には前記第２のズレ量を使用して前記光学系の焦点調
節レンズの制御量を演算する、又は前記第１及び第２の像の鮮鋭度、解像度、又は周波数
特性に基づいて評価した像品質が良好でない場合には前記第１のズレ量を使用し、前記像
品質が良好である場合には前記第２のズレ量を使用して前記光学系の焦点調節レンズの制
御量を演算する焦点演算部とを有する。
【発明の効果】
【０００６】
本発明によれば、高精度かつ効率的な焦点検出装置を提供することができる。
【図面の簡単な説明】
【０００７】
【図１】デジタルカメラの構成を示す横断面図である。
【図２】撮影画面上における焦点検出エリアを示す図である。
【図３】撮像素子の詳細な構成を示す正面図である。
【図４】撮像画素が受光する撮影光束の様子を説明するための図である。
【図５】焦点検出画素が受光する焦点検出光束の様子を説明するための図である。
【図６】デジタルカメラの動作を示すフローチャートである。
【図７】像ズレ検出演算処理を説明するための図である。
【図８】撮影光束と一対の焦点検出光束とが予定焦点面近傍でどのように収束するかを模式的に示した図である。
【図９】撮影光束が予定焦点面上に形成する点像の分布（点像分布関数）の例を示す図である。
【図１０】一対の焦点検出光束が予定焦点面上に形成する点像の分布（点像分布関数）の例を示す図である。
【図１１】撮影光学系が無収差の場合において、白黒エッジの被写体を一対の焦点検出光束で最良像面に形成した時の被写体像を示す図である。
【図１２】白黒エッジの被写体に対し、収差の大きな撮影光学系を用いた場合に、一対の焦点検出光束により最良像面に形成される被写体像を示す図である。
【図１３】一対の点像分布を相対的に変位させて重ね合わせた様子を示す図である。
【図１４】第２像ズレ量検出の検出原理を説明するための図である。
【図１５】合成被写体像信号データを示す図である。
【図１６】合成被写体像信号データの鮮鋭度の像ズレ量に応じた変化を示す図である。
【図１７】合成被写体像信号のＭＴＦを示した図である。
【図１８】デジタルカメラの動作を示すフローチャートである。
【図１９】デジタルカメラの動作を示すフローチャートである。
【図２０】デジタルカメラの動作を示すフローチャートである。
【図２１】撮影画面上における焦点検出エリアを示す図である。
【図２２】デジタルカメラの動作を示すフローチャートである。
【図２３】デジタルカメラの動作を示すフローチャートである。
【図２４】デジタルカメラの動作を示すフローチャートである。
【図２５】種々の条件に応じた第１像ズレ検出演算処理と第２像ズレ検出演算処理との使い分けを複数組み合わせた例を示すフローチャートである。
【発明を実施するための形態】
【０００８】
本発明の第１の実施の形態における焦点検出装置を含む撮像装置として、レンズ交換式
のデジタルカメラを例に挙げて説明する。図１は本実施の形態のデジタルカメラ２０１の
構成を示す横断面図である。本実施の形態のデジタルカメラ２０１は、交換レンズ２０２
とカメラボディ２０３とから構成され、交換レンズ２０２がマウント部２０４を介してカ
メラボディ２０３に装着される。カメラボディ２０３にはマウント部２０４を介して種々
の撮影光学系を有する交換レンズ２０２が装着可能である。
【０００９】
交換レンズ２０２は、レンズ２０９、ズーミングレンズ２０８、フォーカシングレンズ
２１０、絞り２１１、レンズ制御装置２０６などを有する。レンズ制御装置２０６は、不
図示のマイクロコンピューター、メモリ、レンズ駆動制御回路などから構成される。レン
ズ制御装置２０６は、フォーカシングレンズ２１０の焦点調節および絞り２１１の開口径
調節のための駆動制御、ならびにズーミングレンズ２０８、フォーカシングレンズ２１０
および絞り２１１の状態検出などを行う。レンズ制御装置２０６は、後述するボディ制御
装置２１４との通信によりレンズ情報の送信とカメラ情報（デフォーカス量や絞り値など
）の受信とを行う。絞り２１１は、光量およびボケ量調整のために光軸中心に開口径が可
変な開口を形成する。
【００１０】
カメラボディ２０３は、撮像素子２１２、ボディ制御装置２１４、液晶表示素子駆動回
路２１５、液晶表示素子２１６、接眼レンズ２１７、メモリカード２１９、ＡＤ変換装置
２２１などを有している。撮像素子２１２には、撮像画素が行と列とで規定される二次元
状配列にしたがって配置されるとともに、焦点検出位置に対応した部分に焦点検出画素が
配置されている。この撮像素子２１２については詳細を後述する。
【００１１】
ボディ制御装置２１４は、マイクロコンピューター、メモリ、ボディ駆動制御回路など
から構成される。ボディ制御装置２１４は、撮像素子２１２の露光制御と、撮像素子２１
２からの画素信号の読み出しと、焦点検出画素の画素信号に基づく焦点検出演算および交
換レンズ２０２の焦点調節とを繰り返し行うとともに、画像信号の処理、表示および記録
、ならびにカメラの動作制御などを行う。また、ボディ制御装置２１４は、電気接点２１
３を介してレンズ制御装置２０６と通信を行い、レンズ情報の受信とカメラ情報の送信と
を行う。
【００１２】
液晶表示素子２１６は電子ビューファインダー（ＥＶＦ：Electronic View Finder）と
して機能する。液晶表示素子駆動回路２１５は撮像素子２１２から読み出された画像信号
に基づきスルー画像を液晶表示素子２１６に表示し、撮影者は接眼レンズ２１７を介して
スルー画像を観察することができる。メモリカード２１９は、撮像素子２１２により撮像
された画像信号に基づいて生成される画像データを記憶する画像ストレージである。
【００１３】
ＡＤ変換装置２２１は、撮像素子２１２から出力される画素信号をＡＤ変換してボディ
制御装置２１４に送る。撮像素子２１２がＡＤ変換装置２２１を内蔵する構成であっても
よい。
【００１４】
交換レンズ２０２を通過した光束により、撮像素子２１２の撮像面上に被写体像が形成
される。この被写体像は撮像素子２１２により光電変換され、撮像画素および焦点検出画
素の画素信号がボディ制御装置２１４へ送られる。
【００１５】
ボディ制御装置２１４は、撮像素子２１２の焦点検出画素からの画素信号（焦点検出信
号）に基づいてデフォーカス量を算出し、このデフォーカス量をレンズ制御装置２０６へ
送る。また、ボディ制御装置２１４は、撮像素子２１２の撮像画素の画素信号（撮像信号
）を処理して画像データを生成し、メモリカード２１９に格納するとともに、撮像素子２
１２から読み出されたスルー画像信号を液晶表示素子駆動回路２１５へ送り、スルー画像
を液晶表示素子２１６に表示させる。さらに、ボディ制御装置２１４は、レンズ制御装置
２０６へ絞り制御情報を送って絞り２１１の開口制御を行う。
【００１６】
レンズ制御装置２０６は、フォーカシング状態、ズーミング状態、絞り設定状態、絞り
開放Ｆ値などに応じてレンズ情報を更新する。具体的には、ズーミングレンズ２０８とフ
ォーカシングレンズ２１０の位置と絞り２１１の絞り値とを検出し、これらのレンズ位置
と絞り値とに応じてレンズ情報を演算したり、あるいは予め用意されたルックアップテー
ブルからレンズ位置と絞り値とに応じたレンズ情報を選択する。
【００１７】
レンズ制御装置２０６は、受信したデフォーカス量に基づいてレンズ駆動量を算出し、
レンズ駆動量に応じてフォーカシングレンズ２１０を合焦位置へ駆動する。また、レンズ
制御装置２０６は受信した絞り値に応じて絞り２１１を駆動する。
【００１８】
図２は、撮影画面上における焦点検出位置を示す図であり、後述する撮像素子２１２上
の焦点検出画素列による焦点検出の際に撮影画面上で像をサンプリングする領域（焦点検
出エリア、焦点検出位置）の一例を示す。この例では、矩形の撮影画面１００上の中央（
光軸上）に焦点検出エリア１０１が配置される。長方形で示す焦点検出エリア１０１の長
手方向（水平方向）に、焦点検出画素が直線的に配列される。
【００１９】
図３は撮像素子２１２の詳細な構成を示す正面図であり、図２において水平方向に配置
された焦点検出エリア１０１の近傍を拡大した画素配列の詳細を示す。撮像素子２１２に
は撮像画素３１０が二次元正方格子状に稠密に配列される。撮像画素３１０は赤画素（Ｒ
）、緑画素（Ｇ）、青画素（Ｂ）からなり、ベイヤー配列の配置規則によって配置されて
いる。図３においては撮像画素３１０と同一の画素サイズを有する水平方向焦点検出用の
焦点検出画素３１５、３１６が交互に、本来緑画素と青画素とが連続的に配置されるべき
水平方向の直線上に連続して配列される。
【００２０】
撮像画素３１０ならびに焦点検出画素３１５および３１６の各々のマイクロレンズの形
状は、元々画素サイズより大きな円形のマイクロレンズから画素サイズに対応した正方形
の形状で切り出した形状をしている。
【００２１】
撮像画素３１０は、図３に示すように矩形のマイクロレンズ１０、遮光マスクで受光領
域を正方形に制限された光電変換部１１、および色フィルタから構成される。色フィルタ
は赤（Ｒ）、緑（Ｇ）、青（Ｂ）の３種類からなり、それぞれの色に対応する分光感度特
性を有している。撮像素子２１２には、各色フィルタを備えた撮像画素３１０がベイヤー
配列されている。
【００２２】
焦点検出画素３１５、３１６には全ての色に対して焦点検出を行うために全ての可視光
を透過する白色フィルタが設けられている。その白色フィルタは、緑画素、赤画素および
青画素の分光感度特性を加算したような分光感度特性を有し、高い感度を示す光波長領域
は緑画素、赤画素および青画素の各々において各色フィルタが高い感度を示す光波長領域
を包括している。
【００２３】
焦点検出画素３１５は、図３に示すように矩形のマイクロレンズ１０と遮光マスクとで
受光領域を正方形の左半分（正方形を垂直線で２等分した場合の左半分）に制限された光
電変換部１５、および白色フィルタ（不図示）とから構成される。
【００２４】
また、焦点検出画素３１６は、図３に示すように矩形のマイクロレンズ１０と遮光マス
クとで受光領域を正方形の右半分（正方形を垂直線で２等分した場合の右半分）に制限さ
れた光電変換部１６、および白色フィルタ（不図示）とから構成される。
【００２５】
焦点検出画素３１５と焦点検出画素３１６とをマイクロレンズ１０を重ね合わせて表示
すると、遮光マスクで受光領域を正方形の半分に制限された光電変換部１５および１６が
水平方向に並んでいる。
【００２６】
また、上述した正方形の半分に制限された受光領域の部分に正方形を半分にした残りの
部分を加えると、撮像画素３１０の受光領域と同じサイズの正方形となる。
【００２７】
以上のような撮像画素および焦点検出画素の構成においては、一般的な光源のもとでは
、緑色の撮像画素の出力レベルと焦点検出画素の出力レベルとがほぼ等しくなり、赤色の
撮像画素および青色の撮像画素の出力レベルはこれよりも小さくなる。
【００２８】
図４は、図３に示す撮像画素３１０が受光する撮影光束の様子を説明するための図であ
って、水平方向に配列した撮像画素配列の断面をとっている。撮像素子２１２上に配列さ
れた全ての撮像画素３１０の光電変換部１１は、光電変換部１１に近接して配置された遮
光マスクの開口を通過した光束を受光する。遮光マスク開口の形状は、各撮像画素３１０
のマイクロレンズ１０により、マイクロレンズ１０から測距瞳距離ｄだけ離間した撮影光
学系の射出瞳９０上の全撮像画素共通な領域９７に投影される。
【００２９】
従って各撮像画素の光電変換部１１は、領域９７と各撮像画素のマイクロレンズ１０を
通過する光束７１を受光し、その光束７１によって各マイクロレンズ１０上に形成される
像の強度に対応した信号を出力する。
【００３０】
図５は、図３に示す焦点検出画素３１５，３１６が受光する焦点検出光束の様子を、図
４と比較して説明するための図であって、水平方向に配列した焦点検出画素配列の断面を
とっている。
【００３１】
撮像素子２１２上に配列された全ての焦点検出画素３１５、３１６の光電変換部１５，
１６は、光電変換部１５，１６の各々に近接して配置された遮光マスクの開口を通過した
光束を受光する。光電変換部１５に近接して配置された遮光マスク開口の形状は、各焦点
検出画素３１５のマイクロレンズ１０により、マイクロレンズ１０から測距瞳距離ｄだけ
離間した射出瞳９０上の、焦点検出画素３１５に全てに共通した領域９５に投影される。
同じく光電変換部１６に近接して配置された遮光マスク開口の形状は、各焦点検出画素３
１６のマイクロレンズ１０により、マイクロレンズ１０から測距瞳距離ｄだけ離間した射
出瞳９０上の、焦点検出画素３１６に全てに共通した領域９６に投影される。一対の領域
９５，９６を測距瞳と呼ぶ。
【００３２】
従って各焦点検出画素３１５の光電変換部１５は、測距瞳９５と各焦点検出画素３１５
のマイクロレンズ１０とを通過する光束７５を受光し、その光束７５によって各マイクロ
レンズ１０上に形成される像の強度に対応した信号を出力する。また各焦点検出画素３１
６の光電変換部１６は、測距瞳９６と各焦点検出画素３１６のマイクロレンズ１６とを通
過する光束７６を受光し、その光束７６によって各マイクロレンズ１０上に形成される像
の強度に対応した信号を出力する。
【００３３】
一対の焦点検出画素３１５，３１６が受光する光束７５，７６が通過する射出瞳９０上
の測距瞳９５および９６を統合した領域は、撮像画素３１０が受光する光束７１が通過す
る射出瞳９０上の領域９７と一致し、射出瞳９０上において一対の光束７５，７６は光束
７１に対して相補的な関係になっている。
【００３４】
上述の説明においては、遮光マスクにより光電変換部の受光領域が規制されているが、
光電変換部自身の形状を遮光マスクの開口形状とすることも可能である。その場合は遮光
マスクを排してもよい。
【００３５】
要は光電変換部と測距瞳とはマイクロレンズにより光学的に共役な関係となっているこ
とが重要である。
【００３６】
また測距瞳の位置（測距瞳距離）は、一般に撮影光学系の射出瞳距離と略同一になるよ
うに設定される。複数の交換レンズが装着される場合には、複数の交換レンズの平均的な
射出瞳距離に測距瞳距離を設定する。
【００３７】
上述した一対の焦点検出画素３１５、３１６を交互にかつ直線状に多数配置し、各焦点
検出画素の光電変換部の出力を測距瞳９５および測距瞳９６に対応した一対の出力グルー
プにまとめる。これにより、測距瞳９５および測距瞳９６をそれぞれ通過する一対の光束
が水平方向の焦点検出画素配列上に形成する一対の像の強度分布に関する情報が得られる
。この情報に対して後述する像ズレ検出演算処理（相関演算処理、位相差検出処理）を施
すことによって、いわゆる瞳分割型位相差検出方式で一対の像の像ズレ量が検出される。
さらに、像ズレ量に、一対の測距瞳の重心間隔と測距瞳距離との比例関係に応じた変換係
数を用いての変換演算を行うことによって、焦点検出位置における予定結像面と瞳分割型
位相差検出方式で検出される結像面との偏差、すなわちデフォーカス量が算出される。
【００３８】
なお図５においては理解しやすいように一対の領域９５、９６を明瞭な形状で示すとと
もに、一対の焦点検出光束７５，７６をコーン形状で表現し、光軸９１に対して垂直な断
面で光束を切り取ったとき、該断面上で光線密度は一様であるかのように説明している。
しかし、実際には焦点検出画素のマイクロレンズの収差などに応じて一対の領域９５、９
６の外形は不明瞭となる。また、光軸９１に対して垂直な断面における一対の焦点検出光
束７５，７６の光線密度は、一様ではなく、焦点検出光学系の光学特性と撮影光学系の光
学特性とに応じた分布を示す。
【００３９】
図６は、本実施の形態のデジタルカメラ２０１のボディ制御装置２１４による動作を示
すフローチャートである。ボディ制御装置２１４は、ステップＳ１００でデジタルカメラ
２０１の電源がＯＮされるとステップＳ１１０から動作を開始する。ステップＳ１１０に
おいて、絞り変更が必要な場合は、ボディ制御装置２１４は、レンズ制御装置２０６に絞
り調整指令を送って絞り調整を行わせる。それとともに、ボディ制御装置２１４は、撮像
動作を行って撮像素子２１２から撮像画素３１０のデータを間引き読み出しし、液晶表示
素子２１６に表示させる。続くステップＳ１２０では、ボディ制御装置２１４は、焦点検
出画素列から一対の被写体像に対応した一対の被写体像信号のデータを読み出す。
【００４０】
ステップＳ１３０では、ボディ制御装置２１４は、読み出した一対の被写体像信号のデ
ータに基づき後述する第１像ズレ検出演算処理を行い、第１像ズレ量を算出する。第１像
ズレ検出演算処理は、後述するように、一対の被写体像信号の一致度に基づく像ズレ検出
演算処理である。
【００４１】
ステップＳ１３５では、ボディ制御装置２１４は、ステップＳ１３０で算出した第１像
ズレ量をデフォーカス量に変換する。
【００４２】
ステップＳ１３６で、ボディ制御装置２１４は、撮影光学系の焦点調節状態が合焦近傍
か否か、すなわち算出したデフォーカス量の絶対値が第１所定値以内であるか否かを判別
する。第１所定値は、実験により、例えば２００μｍと定められる。合焦近傍でないと判
別された場合は、本処理はステップＳ１５０へ進み、合焦近傍であると判別された場合は
ステップＳ１３７へ進む。なおステップＳ１３６において、第１像ズレ検出演算処理の結
果が焦点検出不能の場合、すなわちデフォーカス量算出が不能の場合または算出されるデ
フォーカス量の信頼性が低い場合も、ボディ制御装置２１４は撮影光学系の焦点調節状態
が合焦近傍でないと判断し、本処理はステップＳ１５０へ進む。
【００４３】
ステップＳ１３７では、ボディ制御装置２１４は、ステップＳ１２０で読み出した一対
の被写体像信号のデータに基づき後述する第２像ズレ検出演算処理を行い、第２像ズレ量
を算出する。第２像ズレ検出演算処理は、後述するように、合成被写体像信号の像品質評
価値に基づく像ズレ検出演算処理である。
【００４４】
ステップＳ１３８では、ボディ制御装置２１４は、ステップＳ１３７で算出した第２像
ズレ量をデフォーカス量に変換し、本処理はステップＳ１４０に進む。
【００４５】
ステップＳ１４０では、ボディ制御装置２１４は、撮影光学系の焦点調節状態が合焦状
態か否か、すなわち算出されたデフォーカス量の絶対値が、第１所定値よりも小さい第２
所定値以内であるか否かを判別する。第２所定値は、実験により、例えば１００μｍと定
められる。ボディ制御装置２１４が、撮影光学系の焦点調節状態が合焦状態でないと判別
した場合、本処理はステップＳ１５０へ進む。ステップＳ１５０では、ボディ制御装置２
１４は、算出したデフォーカス量をレンズ制御装置２０６へ送信し、図１に示す交換レン
ズ２０２のフォーカシングレンズ２１０を合焦位置に駆動させる。その後、本処理はステ
ップＳ１１０へ戻って上述した動作を繰り返す。 
【００４６】
なお、焦点検出不能な場合も本処理はこのステップＳ１５０へ分岐し、ボディ制御装置
２１４は、レンズ制御装置２０６へスキャン駆動命令を送信し、交換レンズ２０２のフォ
ーカシングレンズ２１０を無限遠位置から至近位置までスキャン駆動させる。その後、本
処理はステップＳ１１０へ戻って上述した動作が繰り返される。 
【００４７】
例えば被写体が静止しているような場合においては、ステップＳ１３６でひとたび肯定
判定された後は、ステップＳ１３７、Ｓ１３８、Ｓ１４０およびＳ１５０の後、本処理を
ステップＳ１１０へ戻すのではなく、ステップＳ１３６に戻し、第２像ズレ検出演算処理
を最大数回程度繰り返すこととしてもよい。
【００４８】
一方、ステップＳ１４０で撮影光学系の焦点調節状態が合焦状態であると判別された場
合は、本処理はステップＳ１６０へ進む。ステップＳ１６０において、ボディ制御装置２
１４は、シャッターボタン（不図示）の操作によりシャッターレリーズがなされたか否か
を判別し、なされていないと判別した場合は、本処理はステップＳ１１０へ戻って上述し
た動作が繰り返される。ステップＳ１６０において、ボディ制御装置２１４は、シャッタ
ーレリーズがなされたと判別した場合は、ステップＳ１７０で、撮像素子２１２に撮像動
作を行わせ、撮像素子２１２の撮像画素およびすべての焦点検出画素から画像データを読
み出す。 
【００４９】
ステップＳ１８０において、ボディ制御装置２１４は、焦点検出画素列の各画素位置の
画素データを焦点検出画素の周囲の撮像画素のデータに基づいて画素補間する。続くステ
ップＳ１９０で、ボディ制御装置２１４は、撮像画素のデータおよび補間されたデータか
らなる画像データをメモリカード２１９に保存し、本処理はステップＳ１１０へ戻って上
述した動作が繰り返される。 
【００５０】
次に、図６のステップＳ１３０における一対の被写体像信号の一致度に基づく像ズレ検
出のための第１像ズレ検出演算処理の詳細について説明する。データ数Ｍの焦点検出画素
列から読み出された一対の被写体像信号列に対応する一対のデータ列Ａ１〜ＡＭ、Ｂ１〜
ＢＭに対し、下記（１）式のような周知の相関演算（ＳＡＤ：Sum of Absolute Differen
ce）を行い、一対の被写体像信号パターンの一致度を表す相関量Ｃ(ｋ)を演算する。 
Ｃ(ｋ)＝Σ｜Ａｎ−Ｂｎ＋ｋ｜        （１） 
【００５１】
（１）式において、Σ演算は変数ｎについて累積される。変数ｎの範囲は、像ずらし量
ｋに応じてデータＡｎ、Ｂｎ＋ｋが存在する範囲に限定される。像ずらし量ｋは整数であ
り、一対の被写体像信号列に対応する一対のデータ列のデータ間隔を単位とした相対的シ
フト量である。（１）式の演算結果は、図７（ａ）に示すように、一対の被写体像信号列
に対応する一対のデータ列の相関が高いときの像ずらし量において、相関量Ｃ（ｋ）が極
小になる。相関量Ｃ（ｋ）の値が小さいほど、一対の被写体像信号列の相関度が高く、す
なわち一対の被写体像信号の一致度が大きい。図７（ａ）では、像ずらし量ｋ＝ｋj＝２
のとき、相関量Ｃ（ｋ）は最も小さい値をとり、すなわち一対の被写体像信号の一致度が
最も大きい。
【００５２】
像ずらし量ｋは整数のため、相関量Ｃ（ｋ）は離散値をとるが、次に、（２）式から（
５）式の３点内挿の手法を用いて連続的な相関量における極小値Ｃ（ｘ）を与えるシフト
量ｘを求める。 このシフト量ｘが、後述するように、一対の被写体像の相対的な第１像
ズレ量ｓｈｆｔ１に換算される。
ｘ＝ｋｊ＋Ｄ／ＳＬＯＰ        （２）
Ｃ（ｘ）＝Ｃ（ｋｊ）−｜Ｄ｜        （３）
Ｄ＝｛Ｃ（ｋｊ−１）−Ｃ（ｋｊ＋１）｝／２        （４）
ＳＬＯＰ＝ＭＡＸ｛Ｃ（ｋｊ＋１）−Ｃ（ｋｊ），Ｃ（ｋｊ−１）−Ｃ（ｋｊ）｝  （５
） 
【００５３】
（２）式で算出されたシフト量ｘの信頼性があるかどうかは次のようにして判定される
。図７（ｂ）に示すように、一対の被写体像信号列に対応する一対のデータ列の相関度が
低い場合は、内挿された相関量の極小値Ｃ（ｘ）の値が大きくなる。したがって、Ｃ（ｘ
）が所定のしきい値以上の場合は、算出されたシフト量の信頼性が低いと判定し、算出さ
れたシフト量ｘをキャンセルする。あるいは、Ｃ（ｘ）をデータのコントラストで規格化
するために、コントラストに比例した値となるＳＬＯＰでＣ（ｘ）を除した値が所定値以
上の場合は、算出されたシフト量の信頼性が低いと判定し、算出されたシフト量ｘをキャ
ンセルする。あるいはまた、コントラストに比例した値となるＳＬＯＰが所定値以下の場
合は、被写体が低コントラストであり、算出されたシフト量の信頼性が低いと判定し、算
出されたシフト量ｘをキャンセルする。 
【００５４】
図７（ｃ）に示すように、一対の被写体像信号列に対応する一対のデータ列の相関度が
低く、シフト範囲ｋｍｉｎ〜ｋｍａｘの間で相関量Ｃ（ｋ）の落ち込みがない場合は、極
小値Ｃ（ｘ）を求めることができず、このような場合は焦点検出不能と判定する。 
【００５５】
シフト量ｘの信頼性があると判定された場合は、（６）式によりシフト量ｘは第１像ズ
レ量ｓｈｆｔ１に換算される。 （６）式において、検出ピッチＰＹは、同一種類の焦点
検出画素によるサンプリングピッチ、すなわち撮像画素のピッチの２倍である。
ｓｈｆｔ１＝ＰＹ・ｘ            （６） 
【００５６】
以上が図６のステップＳ１３０における第１像ズレ検出演算処理である。
【００５７】
図６のステップＳ１３５においては、（６）式により算出された第１像ズレ量ｓｈｆｔ
１に所定の変換係数ｋを乗じてデフォーカス量ｄｅｆへ変換する。 
ｄｅｆ＝ｋ・ｓｈｆｔ１            （７） 
【００５８】
（７）式において変換係数ｋは一対の測距瞳９５，９６の重心間隔と測距瞳距離との比
例関係に応じた変換係数であり、光学系の絞りＦ値に応じて変化する。
【００５９】
なお、一対の被写体像信号パターンの一致度を検出する相関演算式は（１）式に限定さ
れず、一対の被写体像信号の一致度を演算するものであればどのような相関演算式を用い
ても良い。 
【００６０】
例えば（１）式の絶対値演算の代わりに自乗演算を採用した（８）式の相関演算（ＳＳ
Ｄ：Sum of Squared Difference）を用いても良い。
Ｃ（ｋ）＝Σ（Ａｎ−Ｂｎ＋ｋ）２        （８） 
【００６１】
また一対の被写体像信号間に増幅度の相違がある場合においても一対の被写体像信号の
一致度の検出が可能な（９）式のような相関演算式を用いても良い。
Ｃ（ｋ）＝Σ｜Ａｎ・Ｂｎ＋ｓ＋ｋ−Ｂｎ＋ｋ・Ａｎ＋ｓ｜        （９） 
【００６２】
なお（９）式において変数ｎのとる範囲は、像ずらし量ｋに応じてデータＡｎ、Ａｎ＋
ｓ、Ｂｎ＋ｋ、Ｂｎ＋ｓ＋ｋが存在する範囲に限定される。また、変数ｓとして、整数１
，２，・・が適宜選択される。（１）、（８）、（９）式以外においても、一対の被写体
像信号の一致度を演算するものであればどのような相関演算式を用いても良い。 
【００６３】
上述した第１像ズレ検出演算により一対の被写体像信号パターンの一致度を検出するこ
とができるという原理は、以下の考え方に基づく。すなわち、一対の焦点検出光束が形成
する一対の被写体像信号の形状や波形といったパターンは同一である、すなわち一致する
という前提が成立するならば、合焦時には一対の被写体像信号のパターンが位置的にぴっ
たりと重なるという結論に基づくものである。従って一対の焦点検出光束が形成する一対
の被写体像信号のパターンが一致するという前提が崩れれば、それに応じて第１像ズレ検
出演算により算出される第１像ズレ量に応じて検出される焦点調節状態は誤差を生じるこ
とになる。
【００６４】
図８は、予定焦点面９８上に最良像面が形成された場合において、図４および図５にそ
れぞれ示した射出瞳の領域９７を通る撮影光束と射出瞳の一対の領域９５，９６を通過す
る一対の焦点検出光束とが、予定焦点面９８近傍でどのように収束するかを模式的に示し
た図である。最良像面は、撮影光束が形成する被写体像や、一対の焦点検出光束が形成す
る一対の被写体像の、鮮鋭度、解像度、コントラストまたは周波数特性（ＭＴＦ）といっ
た像品質が最高となる結像面である。例えば図８において、光軸９１上に点光源があると
すると、点光源に対応して予定焦点面９８の光軸９１上に点像が形成されることになる。
【００６５】
理想的な無収差の撮影光学系の場合は、射出瞳の領域９７を通る撮影光束が形成する点
像も、射出瞳の一対の領域９５，９６を通過する一対の焦点検出光束が形成する一対の点
像も、いずれも予定焦点面９８上で空間的に広がりを持たない完全な点となるとともに、
射出瞳の一対の領域９５，９６を通過する一対の焦点検出光束が形成する一対の点像の予
定焦点面９８上での空間的な位置も一致する。このような無収差の撮影光学系を使用して
一般の被写体を撮影する場合には、一対の焦点検出光束により最良像面に形成される一対
の被写体像の形状は完全に一致するとともに、該一対の被写体像の位置も一致するので、
一対の被写体像の像ズレ量が０の場合に合焦であるということが保証できる。
【００６６】
しかしながら撮影光学系が光学的な収差を持つ場合には、射出瞳の領域９７を通る撮影
光束が形成する点像も、射出瞳の一対の領域９５，９６を通過する一対の焦点検出光束が
形成する一対の点像も、いずれも予定焦点面９８上で空間的に広がりをもった点像となる
。
【００６７】
図９は、図８に示す状態、すなわち予定焦点面９８上に最良像面が形成された状態にお
いて、撮影光束が予定焦点面９８上に形成する点像の分布５１（点像分布関数）の例を示
しており、中心に大きなピークを持ち周辺部で対称的に裾野を引いている。一方図１０は
同じ状態、すなわち予定焦点面９８上に最良像面が形成された状態において、一対の焦点
検出光束が予定焦点面９８上に形成する点像の分布（点像分布関数）の例を示しており、
実線が領域９５を通過する焦点検出光束が形成する点像分布５５、破線が領域９６を通過
する焦点検出光束が形成する点像分布５６を示している。なお図９、図１０において横軸
は予定焦点面９８における水平方向の位置であり、縦軸は像の強度である。また点像分布
５１、５５，５６のピーク位置が像面中心、すなわち光軸９１が予定焦点面９８と交わる
位置である。
【００６８】
点像分布５５、５６は点像分布５１と同様に中心に大きなピークを持ち周辺部で裾野を
引いているが、裾野の引き方はともに非対称である。点像分布５５の右側の裾野は大きい
のに対し、左側の裾野はほとんどない。点像分布５６の左側の裾野は大きいのに対し、右
側の裾野はほとんどない。また一対の焦点検出光束は撮影光束に対して相補的な関係にあ
り、一対の焦点検出光束を統合したものが撮影光束になるので、点像分布５５と点像分布
５６とで表される一対の被写体像信号を加算合成したものが点像分布５１となる。図９お
よび図１０に示すように、点像が光軸上に形成された場合には、点像分布５１の形状は左
右対称であり、点像分布５５と点像分布５６とは一方を左右反転した時に形状が一致する
。点像が光軸外の画面周辺にある場合には、光軸に対する点像の形成位置、すなわち像高
に応じて点像分布５１，５５、５６の形状は図９および図１０に示す形状からさらに変形
するので、点像分布５１の形状は左右対称でなくなり、点像分布５５と点像分布５６とは
一方を左右反転した時にも形状が一致しなくなる。
【００６９】
一般に撮影光学系の収差量が小さい場合あるいは良好な場合には、最良像面における点
像分布５１，５５、５６の形状において、ピーク部のサイズに比較して裾野部の広がりは
小さく、一対の点像分布５５、５６はほとんど同一の形状となるとともに、一対の点像の
位置もほとんど一致する。
【００７０】
ところで一般に収差のある撮影光学系により形成される被写体像の像信号の分布関数は
、無収差の場合に形成される被写体像の像信号の分布関数に、収差のある撮影光学系によ
り形成される点像の像信号の分布関数をコンボルーションしたものとなる。
【００７１】
したがって、収差量が少ない場合、あるいは良好な撮影光学系を用いて一般の被写体を
撮影する場合には、一対の焦点検出光束により最良像面に形成される一対の被写体像の形
状はほとんど一致するとともに、該一対の被写体像の位置も一致する。したがって、一対
の被写体像の像ズレ量が０の場合に合焦であるという前提に基づいた第１像ズレ検出演算
処理により算出した第１像ズレ量に応じて焦点検出を行っても大きな誤差を生じない。
【００７２】
しかしながら収差量が大きい撮影光学系を用いて一般の被写体を撮影する場合には、一
対の焦点検出光束により最良像面に形成される一対の被写体像の形状が一致しない。した
がって、一対の被写体像の像ズレ量が０の場合に合焦であるという前提に基づいた第１像
ズレ検出演算処理により算出した焦点検出を行うと大きな誤差を生じてしまう。
【００７３】
図１１は、撮影光学系が無収差の場合において、白黒エッジの被写体を一対の焦点検出
光束で最良像面に形成した時の被写体像を示しており、図８の領域９５を通過する焦点検
出光束は被写体像６５を形成し、領域９６を通過する焦点検出光束は被写体像６６を形成
する。被写体像６５のエッジ部４５の位置と被写体像６６のエッジ部４６の位置とは一致
しており、このような場合にはどのような第１像ズレ検出演算、すなわち一対の被写体像
信号の一致度に基づく像ズレ検出演算を用いても、第１像ズレ量は０と算出される。
【００７４】
一方図１２は図１１と同じ白黒エッジの被写体に対し、収差の大きな撮影光学系を用い
た場合に、一対の焦点検出光束により最良像面に形成される被写体像を示している。また
該撮影光学系を通過した一対の焦点検出光束が最良像面に形成する一対の点像の分布が、
例えば図１０に示す点像分布関数５５，５６で表わされたとする。被写体像６７は領域９
５を通過する焦点検出光束により形成されるエッジ像であり、無収差の場合の被写体像６
５に点像分布関数５５をコンボルーションした像となる。被写体像６８は領域９６を通過
する焦点検出光束により形成されるエッジ像であり、無収差の場合の被写体像６６に点像
分布関数５６をコンボルーションした像となる。
【００７５】
一対の被写体像６７および６８はもともと同じ被写体の像であるが、一対の焦点検出光
束により形成される一対の点像分布が同一でないことにより、一対の被写体像の形状、す
なわち一対の被写体像信号のパターンが互いに大きく異なってきてしまう。例えば被写体
像６７のエッジ部４７の上部４１の形状と、被写体像６８のエッジ部４８の上部４２の形
状とは大きく異なる。また被写体像６７のエッジ部４７の下部４３の形状と、被写体像６
８のエッジ部４８の下部４４の形状とは大きく異なる。最良像面が予定焦点面と一致した
状態において、このように互いに形状が異なる一対の被写体像６７および６８に対して像
ズレ検出を行っても検出される像ズレ量は０とならない。例えばこの状態において第１像
ズレ検出演算により第１像ズレ量Δ（Δ≠０）が算出された場合には、該第１像ズレ量Δ
に対応する像面は例えば図８の面９９となってしまう。
【００７６】
このような誤差（像ズレ量Δ）を生ずる原因は、前述したように最良像面において一対
の焦点検出光束により形成される一対の点像分布が同一でないことにある。最良像面にお
いて図１０の点像分布５５、５６のピーク位置は一致しているが、点像分布５５、５６に
対して第１像ズレ検出演算処理を施して求めた第１像ズレ量Δは０にはならない。第１像
ズレ量Δだけ点像分布５５、５６を相対的に偏位させて重ね合わせると図１３のようにな
る。すなわち第１像ズレ量検出演算、すなわち一対の被写体像信号パターンの一致度に基
づく像ズレ検出演算では、図１３に示す状態が点像分布５５、５６の一致度が最も高い状
態と判断されてしまうのである。
【００７７】
上述したように第１像ズレ量検出演算、すなわち一対の被写体像信号パターンの一致度
に基づく像ズレ検出演算においては、撮影光学系の収差が大きい場合には一対の被写体像
の同一性が崩れるために、像ズレ量の検出に誤差が生じる。
【００７８】
このように一対の被写体像信号パターンの同一性が崩れた場合においても、精度の高い
像ズレ量の検出が可能な第２像ズレ量検出演算処理について説明する。第２像ズレ量検出
演算処理は、図１３のステップＳ１３７で行われる。第２像ズレ量検出演算処理において
は、一対の被写体像信号を加算合成して得られる合成被写体像の、鮮鋭度、解像度、コン
トラストまたは周波数特性（ＭＴＦ）といった像品質に基づいて第２像ズレ量の検出が行
われる。
【００７９】
図１４は第２像ズレ量検出の検出原理を説明するための図である。図１４（ｄ）、１４
（ｅ）および１４（ｆ）は、一対の焦点検出光束により予定焦点面上に形成される一対の
点像分布５５および５６の相対的な位置を変更して重ね合わせて表示している。実線で表
された点像分布５５は、領域９５を通過する焦点検出光束によって形成され、破線で表さ
れた点像分布５６は、領域９６を通過する焦点検出光束によって形成される。図１４（ａ
）、１４（ｂ）および１４（ｃ）は、一対の点像分布を相対的な位置を変更して重ね合わ
せて加算合成した点像分布５１ａ、５１ｂ、および５１ｃを示している。図１４（ａ）お
よび１４（ｄ）における一対の点像分布の相対的な位置Ｐａと、図１４（ｂ）および１４
（ｅ）における一対の点像分布の相対的な位置Ｐｂと、図１４（ｃ）および１４（ｆ）に
おける一対の点像分布の相対的な位置Ｐｃとは、互いに異なり、第２像ズレ量検出演算処
理では、一対の点像分布の相対的な位置を、例えば位置Ｐａ、Ｐｂ、Ｐｃの順に変化させ
る。
【００８０】
図１４（ｂ）および１４（ｅ）に示すように、一対の点像分布の相対的な位置Ｐｂにお
いて、合成被写体像信号の点像分布５１ｂのピーク値が最高値を示すので、像品質が最も
高くなり、最良像面と予定焦点面とが一致した場合の撮影光束による点像分布（図９）に
最も近づく。また一対の点像分布の相対的な位置Ｐｂから位置ＰａまたはＰｃに離反する
に従って合成被写体像信号の点像分布５１ａおよび５１ｃのピーク値が低いので、像品質
が低下する。
【００８１】
すなわち点像の場合は、一対の点像分布の相対的な位置を順次変更しながら合成被写体
像を生成するとともに、該合成被写体像の像信号のピーク値が最大となって像品質が最も
高くなる相対的な位置を像ズレ量とすることにより、一対の点像分布の同一性が低い場合
においても正確な像ズレ量の検出が可能になる。
【００８２】
このような原理による像ズレ検出の一般的な被写体像への拡張も上記と同様な仕組みで
行われる。一対の焦点検出光束により形成される一対の被写体像は無収差の場合の被写体
像に上記のような点像分布をコンボルーションされたものとなっているので、一対の被写
体像の相対的な位置を順次変更しながら合成像を生成するとともに、該合成像の鮮鋭度、
解像度、コントラストまたはＭＴＦといった像品質が最も良好となる相対的な位置を像ズ
レ量とすることにより、一般的な被写体像においても正確な像ズレ量の検出が可能になる
。
【００８３】
上述したように第２像ズレ量検出においては、一対の焦点検出光束は撮影光束に対して
相補的な関係にあること、すなわち一対の焦点検出光束を統合すると撮影光束と同等にな
るということを利用して、一対の焦点検出光束によって形成された一対の被写体像を相対
的に変位させながら加算合成することにより、撮影光束によって形成される被写体像と同
等な合成被写体像を生成し、該合成被写体像の像品質が最高となる変位量を第２像ズレ量
としている。第２像ズレ量検出における被写体像の像品質の評価は、いわゆるコントラス
ト検出方式の焦点検出と同等な像品質評価を行う点で類似しているが、以下の点で異なる
。すなわち、コントラスト検出方式の焦点検出においては、像品質を変化させて像品質の
ピークを検出するために、撮影光学系を光軸方向に走査駆動する必要があるのに対し、第
２像ズレ量検出においては、像品質を変化させて像品質のピークを検出するために、撮影
光学系を光軸方向に走査駆動する必要は無い。第２像ズレ量検出においては、単に一対の
被写体像信号を相対的に変位させるだけで良い。第２像ズレ量検出においては、一対の被
写体像信号を相対的に変位させることが、コントラスト検出方式の焦点検出における撮影
光学系の光軸方向の走査駆動と同等な役割を果たしており、焦点検出の都度撮影光学系の
光軸方向の走査駆動を行う必要がないという効果が有る。
【００８４】
次に合成被写体像の鮮鋭度、解像度、コントラスト、ＭＴＦといった像品質の評価につ
いて具体的に説明する。焦点検出画素列から読み出された一対の被写体像信号列に対応す
るデータ数Ｍの一対のデータ列Ａ１〜ＡＭ、Ｂ１〜ＢＭと、これらの一対のデータ列に対
し下記（１０）式のような像ずらし加算演算を行い、図１５に示す合成被写体像信号デー
タＦ（ｎ，ｋ）を生成する（ｎ＝１，．．．，Ｍ）。（１０）式において、像ずらし量ｋ
は整数であり、データ列のデータ間隔を単位とした相対的シフト量である。
Ｆ（ｎ，ｋ）＝Ａｎ＋Ｂｎ＋ｋ        （１０） 
【００８５】
図１５において、横軸は焦点検出画素ピッチに基づくサンプリング位置、縦軸は合成被
写体像信号強度（合成被写体像信号出力）を表し、実線１５１０で示す合成被写体像信号
の強度を空間的に離散サンプリングすることによりサンプリング出力して得られた合成被
写体像信号データＦ（ｎ，ｋ）のデータ列を○印で表している。
【００８６】
上記合成被写体像信号データＦ（ｎ，ｋ）に対し下記（１１）式のような鮮鋭度評価演
算を行い、像ズレ量ｋにおける合成被写体像信号の鮮鋭度評価値を像品質評価値Ｐ（ｋ）
として演算する。 
Ｐ（ｋ）＝Σ｜Ｆ（ｎ，ｋ）−Ｆ（ｎ+ｖ，ｋ）｜        （１１） 
【００８７】
（１１）式において、Σ演算は変数ｎの範囲について計算される。（１１）式は合成被
写体像信号データＦ（ｎ，ｋ）の、所定データ間隔を表す整数ｖにおける１階差分の絶対
値の総和を算出する演算を表す。合成被写体像信号データＦ（ｎ，ｋ）の鮮鋭度が高いほ
ど差分量は大きくなるので鮮鋭度評価値Ｐ（ｋ）も大きな値となる。合成被写体像信号の
１階差分は合成被写体像のエッジ部の傾斜量に対応し、傾斜が急峻なほど鮮鋭に見えるの
で、（１１）式は合成被写体像信号の鮮鋭度を評価する演算式と言える。データ間隔を表
す整数ｖを小さくするほど、高い空間周波数成分が抽出される。データ間隔を表す整数ｖ
は、被写体のＭＴＦ特性、焦点検出画素ピッチ、抽出したい空間周波数等に基づき、実験
により定められる値である。
【００８８】
像ズレ量ｋを順次変更して（１１）式の演算を行うことにより、図１６に示すように、
合成被写体像信号データＦ（ｎ，ｋ）の鮮鋭度が高い像ズレ量において鮮鋭度評価値Ｐ（
ｋ）が極大値Ｐｍａｘ、すなわち最大値になるグラフが得られる。極大値Ｐｍａｘが得ら
れた像ズレ量をそのまま第２像ズレ検出演算の結果である第２像ズレ量として採用しても
よい。また、離散的に算出される鮮鋭度評価値Ｐ（ｋ）を周知のカーブフィッティングな
どの手法により、図１６の実線１６１０で示すように連続関数化し、サンプリングピッチ
単位以下の第２像ズレ量を算出することとしてもよい。例えば、極大値Ｐｍａｘに所定値
Ｅ（０＜Ｅ＜１）を乗じた評価値となる範囲、すなわち極大値Ｐｍａｘを含む所定範囲の
中点Ｗとして第２像ズレ量を検出してもよい。所定値Ｅは、図１６に示す鮮鋭度評価値Ｐ
（ｋ）のグラフが描くカーブの急峻さに基づき、実験により定められ、例えばカーブが急
峻であれば９０％程度、カーブが緩やかであれば７０％程度である。
【００８９】
またつぎのようにしてサンプリングピッチ単位以下の第２像ズレ量を算出してもよい。
まず焦点検出画素ピッチで得られる一対の被写体像信号のデータを互いに加算合成して合
成被写体像を生成する代わりに、データ内挿の手法により焦点検出画素ピッチよりサンプ
リング間隔が細かくなった一対の被写体像信号データを生成する。該一対の被写体像信号
データを、細かくなったサンプリングピッチ単位で相対的に変位させてから互いに加算合
成して合成被写体像信号を生成する。その合成被写体像信号の鮮鋭度評価値を算出し、鮮
鋭度評価値が極大となるときの変位量（シフト量）を、サンプリングピッチ単位以下の第
２像ズレ量とする。
【００９０】
鮮鋭度評価演算は（１１）式に限定されることはなく、像ずらし量ｋにおける合成被写
体像信号の鮮鋭度に関する像品質評価値Ｐ（ｋ）を演算するものであればよく、例えば（
１２）式でもよい。
Ｐ（ｋ）＝Ｍａｘ（｜Ｆ（ｎ，ｋ）−Ｆ（ｎ+ｖ，ｋ）｜）       （１２） 
【００９１】
（１２）式において、関数Ｍａｘ（ｚ）は変数ｚの最大値を抽出する関数であり、変数
ｎの範囲について計算される。（１２）式によれば、合成被写体像信号データＦ（ｎ，ｋ
）の、所定データ間隔を表す整数ｖにおける１階差分の絶対値の最大値が得られる。合成
被写体像信号データＦ（ｎ，ｋ）の鮮鋭度が高いほど合成被写体像のエッジ部の傾きは急
峻となるので、（１２）式の鮮鋭度評価値Ｐ（ｋ）も大きな値となる。合成被写体像信号
データＦ（ｎ，ｋ）の鮮鋭度が最も高い像ズレ量において、鮮鋭度評価値Ｐ（ｋ）が最大
値になる。
【００９２】
像品質評価演算は（１１）、（１２）式の鮮鋭度評価演算に限定されることはなく、像
ずらし量ｋにおける合成被写体像信号の鮮鋭度以外の特性に関する像品質評価値Ｐ（ｋ）
を演算するものあってもよい。例えば（１３）式に示すような合成被写体像信号の解像度
を評価する演算でもよい。
Ｐ（ｋ）＝Σ｜−Ｆ(ｎ−ｖ，ｋ)＋２×Ｆ（ｎ，ｋ）−Ｆ(ｎ＋ｖ，ｋ)｜     （１３）
【００９３】
（１３）式において、Σ演算は変数ｎの範囲について計算される。（１３）式は、合成
被写体像信号データＦ（ｎ，ｋ）の、所定データ間隔を表す整数ｖにおける２階差分の絶
対値の総和を算出する演算式である。合成被写体像信号データＦ（ｎ，ｋ）の解像度が高
いほど、差分量は大きくなるので、解像度評価値Ｐ（ｋ）も大きな値となる。（１３）式
において、２階差分はバンドパスフィルタ特性を持ち、データ間隔を表す整数ｖを小さく
するほど、高い空間周波数成分が抽出されるので、（１３）式は合成被写体像信号の解像
度を評価する演算式と言える。合成被写体像信号データＦ（ｎ，ｋ）の解像度が最も高い
像ズレ量において、解像度評価値Ｐ（ｋ）が最大値になる。
【００９４】
解像度評価演算は（１３）式に限定されることはなく、像ずらし量ｋにおける合成被写
体像信号の解像度に関する像品質評価値Ｐ（ｋ）を演算するものであればよく、例えば（
１４）式でもよい。
Ｐ（ｋ）＝Ｍａｘ（｜−Ｆ(ｎ−ｖ，ｋ)＋２×Ｆ（ｎ，ｋ）−Ｆ(ｎ＋ｖ，ｋ)｜）  
（１４） 
【００９５】
（１４）式において、関数Ｍａｘ（ｚ）は変数ｚの最大値を抽出する関数であり、変数
ｎの範囲について計算される。（１４）式は、合成被写体像信号データＦ（ｎ，ｋ）の、
所定データ間隔を表す整数ｖにおける２階差分の絶対値の最大値を算出する演算式である
。合成被写体像信号データＦ（ｎ，ｋ）の解像度が高いほど、合成被写体像信号の高周波
成分量は増大するので、（１４）式の解像度評価値Ｐ（ｋ）も大きな値となる。合成被写
体像信号データＦ（ｎ，ｋ）の解像度が最も高い像ズレ量において、解像度評価値Ｐ（ｋ
）が最大値になる。
【００９６】
像品質評価演算は、像ずらし量ｋにおけるコントラストに関する像品質評価値Ｐ（ｋ）
を演算するものであってもよい。例えば（１５）式に示すような合成被写体像信号のコン
トラストを評価する演算でもよい。
Ｐ（ｋ）
＝｛Ｍａｘ（Ｆ（ｎ，ｋ））−Ｍｉｎ（Ｆ（ｎ，ｋ））｝
／｛Ｍａｘ（Ｆ（ｎ，ｋ））＋Ｍｉｎ（Ｆ（ｎ，ｋ））｝          （１５）
【００９７】
（１５）式において、関数Ｍａｘ（ｚ）は変数ｚの最大値を抽出する関数であり、変数
ｎの範囲について計算される。関数Ｍｉｎ（ｚ）は変数ｚの最小値を抽出する関数であり
、変数ｎの範囲について計算される。（１５）式は合成被写体像信号データＦ（ｎ，ｋ）
のコントラストを表す演算式であり、合成被写体像信号のコントラストが高いほど（１５
）式のコントラスト評価値Ｐ（ｋ）も大きな値となる。合成被写体像信号データＦ（ｎ，
ｋ）のコントラストが最も高い像ズレ量において、コントラスト評価値Ｐ（ｋ）が最大値
になる。
【００９８】
像品質評価演算は、像ずらし量ｋにおける周波数特性、すなわちＭＴＦ（Modulation T
ransfer Function）特性に関する像品質評価値Ｐ（ｋ）を演算するものあってもよい。例
えば以下のようにしてＭＴＦに関する像品質評価値Ｐ（ｋ）を算出する。
【００９９】
図１７の実線１７１０は、図１５に示した合成被写体像信号データＦ（ｎ，ｋ）をフー
リエ変換して求めた合成被写体像信号のＭＴＦを示した図であり、横軸は空間周波数ω、
縦軸はＭＴＦの値をそれぞれ表す。このグラフにおいて、合成被写体像信号の鮮鋭度、解
像度、コントラストといった像品質に寄与する高周波帯域（ω０〜ω１）に渡って合成被
写体像信号のＭＴＦを積分した値が、合成被写体像信号のＭＴＦに関する像品質評価値Ｐ
（ｋ）であり、図１７の斜線部１７２０の面積に等しい。合成被写体像信号データＦ（ｎ
，ｋ）のＭＴＦが最も高い像ズレ量において、ＭＴＦ評価値Ｐ（ｋ）が最大値になる。
【０１００】
上述した第２像ズレ検出演算においては一対の被写体像信号のパターンを相対的にずら
して加算合成することにより、光軸方向に撮影光学系を走査した時の撮影光束により形成
されるいわゆるコントラスト検出方式の焦点検出の被写体像信号と同等な合成被写体像信
号を擬似的に生成する。その合成被写体像信号に対して、鮮鋭度、解像度、コントラスト
、ＭＴＦといった像品質の評価を行うため、一対の焦点検出光束により形成される一対の
被写体像信号パターンの同一性が崩れている場合においても誤差なく正確な像ズレ量を検
出することができる。
【０１０１】
デジタルカメラ２０１のボディ制御装置２１４による動作を示した図６のフローチャー
トにおいては、デフォーカス量の絶対値で表される光学系の焦点検出状態に応じて上述し
た第１像ズレ検出演算処理と第２像ズレ検出演算処理とを使い分けている。高精度な像ズ
レ検出演算が要求される合焦近傍の場合、すなわちデフォーカス量の絶対値が第１所定値
以内の場合にのみ第２像ズレ検出演算処理を用いている。合焦近傍でない場合、すなわち
デフォーカス量の絶対値が第１所定値を超える場合に第２像ズレ検出演算処理を用いない
。その理由は、デフォーカス量が大きくなると、空間周波数の高周波成分が減少して像品
質の評価値が低下するとともに、デフォーカス量に対する像品質評価値の変化も微小にな
るため、第２像ズレ検出演算処理による像ズレ検出演算精度が低下してしまう点にある。
これに対し第１像ズレ検出演算処理では、空間周波数の低周波成分も像ズレ検出に用いて
いるので、デフォーカス量が大きくなっても像ズレ検出精度の低下は少ない。
【０１０２】
第１像ズレ検出演算処理と第２像ズレ検出演算処理との使い分けについては、図６のフ
ローチャートで説明したような焦点検出状態、すなわちデフォーカス量の絶対値に応じた
使い分けに限定されず、第１像ズレ検出演算処理および第２像ズレ検出演算処理の特質に
応じた使い分けであれば他の使い分けであってもかまわない。
【０１０３】
−第１および第２像ズレ検出演算処理を両方行う場合−
図１８は、第１像ズレ検出演算処理と第２像ズレ検出演算処理とを両方行って、それぞ
れの結果として得られる第１像ズレ量と第２像ズレ量とを加重加算平均する場合のフロー
チャートである。本フローチャートは、図６のステップＳ１３０からステップＳ１３８ま
での処理に置き換わる処理を示す。
【０１０４】
ステップＳ２３０では、ボディ制御装置２１４は、ステップＳ１２０で読み出した一対
の被写体像信号のデータに基づき第１像ズレ検出演算処理を行い、第１像ズレ量ｓｈｆｔ
１を算出する。第１像ズレ検出演算処理は、上述したように、一対の被写体像信号の一致
度に基づく像ズレ検出演算処理である。
【０１０５】
ステップＳ２３１では、ボディ制御装置２１４は、ステップＳ１２０で読み出した一対
の被写体像信号データに基づき第２像ズレ検出演算処理を行い、第２像ズレ量ｓｈｆｔ２
を算出する。第２像ズレ検出演算処理は、上述したように、合成被写体像信号の像品質評
価値に基づく像ズレ検出演算処理である。
【０１０６】
ステップＳ２３２では、ボディ制御装置２１４は、（１６）式に示すように、第１像ズ
レ量ｓｈｆｔ１と第２像ズレ量ｓｈｆｔ２とを、重み係数ｋ１、ｋ２により加重加算平均
して、平均像ズレ量ｓｈｆｔＡを算出する。
ｓｈｆｔＡ＝ｋ１・ｓｈｆｔ１＋ｋ２・ｓｈｆｔ２  ただし  ｋ１＋ｋ２＝１
（１６）
【０１０７】
（１６）式において、重み係数ｋ１、ｋ２を、焦点検出状態に応じて変更してもよい。
例えば、合焦近傍では重み係数ｋ２を重み係数ｋ１よりも大きくする。（１６）式におい
て、重み係数ｋ１、ｋ２を、第１像ズレ量ｓｈｆｔ１および第２像ズレ量ｓｈｆｔ２の信
頼性評価値に応じて変更してもよい。その場合、信頼性が相対的に高い方の重み係数を、
低い方の重み係数よりも大きくする。例えば、第１像ズレ量ｓｈｆｔ１の信頼性評価値ｒ
１の算出には（５）式のＳＬＯＰを用いる。また、第２像ズレ量ｓｈｆｔ２の信頼性評価
値ｒ２の算出には、図１７の鮮鋭度評価値の最大値Ｐｍａｘを用いる。このとき、重み係
数ｋ１＝ｒ１／（ｒ１＋ｒ２）とし、重み係数ｋ２＝ｒ２／（ｒ１＋ｒ２）とする。
【０１０８】
ステップＳ２３３では、ボディ制御装置２１４は、ステップＳ２３２で算出した平均像
ズレ量ｓｈｆｔＡをデフォーカス量に変換する。
【０１０９】
このようにすれば、第１像ズレ検出演算処理と第２像ズレ検出演算処理との切替えにお
ける像ズレ量やデフォーカス量の急変がなくなるので、スムースな焦点調節動作が可能に
なる。
【０１１０】
−第１および第２像ズレ検出演算処理を収差に応じて使い分ける場合−
図１９は、第１像ズレ検出演算処理と第２像ズレ検出演算処理とを、撮影光学系の光学
特性、例えば収差に応じて使い分ける場合の、ボディ制御装置２１４による動作を示すフ
ローチャートである。本フローチャートは、図６のステップＳ１３０からステップＳ１３
８までの処理に置き換わる処理を示す。
【０１１１】
ステップＳ３３０では、ボディ制御装置２１４は、レンズ制御装置２０６から、光学特
性の情報として、球面収差情報を受信する。レンズ制御装置２０６または交換レンズ２０
２内の不図示の記憶装置には、球面収差の設計値または測定値等の情報が、球面収差情報
として予め記憶されている。
【０１１２】
ステップＳ３３１では、ボディ制御装置２１４は、受信した光学特性の情報、すなわち
球面収差情報に基づいて、光学特性が良好であるか否かを判定する。具体的には、ボディ
制御装置２１４は、絞り開放値の球面収差（縦収差量）とＦ５．６における球面収差（縦
収差量）との差の絶対値が所定値以下の場合には良好と判定する。一般的に上記縦収差量
の差が大きな撮影光学系ほど図１０で示した一対の点像信号のパターンの一致度が悪くな
る。
【０１１３】
ステップＳ３３１で光学特性が良好と判定された場合は、ステップＳ３３２において、
ボディ制御装置２１４は、ステップＳ１２０で読み出した一対の被写体像信号のデータに
基づき第１像ズレ検出演算処理を行い、第１像ズレ量ｓｈｆｔ１を算出する。第１像ズレ
検出演算処理は、上述したように、一対の被写体像信号の一致度に基づく像ズレ検出演算
処理である。
【０１１４】
ステップＳ３３３では、ボディ制御装置２１４は、ステップＳ３３２で算出した第１像
ズレ量ｓｈｆｔ１をデフォーカス量に変換し、本処理は、図６のステップＳ１４０に進む
。
【０１１５】
一方ステップＳ３３１で光学特性が良好でないと判定された場合は、ステップＳ３３４
において、ボディ制御装置２１４は、ステップＳ１２０で読み出した一対の被写体像信号
のデータに基づき第２像ズレ検出演算処理を行い、第２像ズレ量ｓｈｆｔ２を算出する。
第２像ズレ検出演算処理は、上述したように、合成被写体像信号の像品質評価値に基づく
像ズレ検出演算処理である。
【０１１６】
ステップＳ３３５では、ボディ制御装置２１４は、ステップＳ３３４で算出した第２像
ズレ量ｓｈｆｔ２をデフォーカス量に変換し、本処理は、図６のステップＳ１４０に進む
。
【０１１７】
このようにすれば、撮影光学系の光学特性が良好であるために合焦近傍においても第１
像ズレ検出演算処理の誤差が生じない場合には、比較的演算規模が少ないために処理時間
が短い第１像ズレ検出演算処理が用いられる。そのため、焦点調節のレスポンスを高くす
ることが出来る。それとともに、撮影光学系の光学特性が良好ではないがために合焦近傍
において第１像ズレ検出演算処理の誤差が生じる場合には、高精度な第２像ズレ検出演算
処理を用いることにより正確な焦点調節を行うことができる。
【０１１８】
光学特性の良否判定は、上述のように撮影光学系の球面収差情報を用いるものに限定さ
れず、他の収差量の情報、例えば色収差、コマ収差、非点収差などの情報でもよい。特に
、空間周波数に応じた最良像面位置の変位情報は、一対の被写体像信号パターンの同一性
と深く関係しているので重要である。例えば、所定値ωＬを含む低空間周波数の最良像面
位置と所定値ωＬよりも大きな所定値ωＨを含む高空間周波数の最良像面位置との差を、
光学設計情報に基づいて予め算出して、または実験的に測定して交換レンズ２０２側に記
憶しておく。ボディ制御装置２１４は、それら２つの空間周波数のそれぞれに対する最良
像面の位置の差をカメラボディ２０３側に読み出し、読み出した最良像面の位置の差の絶
対値が所定値以下の場合は光学特性が良好として第１像ズレ検出演算処理を行う。ボディ
制御装置２１４は、読み出した最良像面の位置の差の絶対値が所定値を超える場合は光学
特性が良好でないとして第２像ズレ検出演算処理を行う。
【０１１９】
また、光学特性の良否をカメラボディ２０３側で判定する代わりに、交換レンズ２０２
側からカメラボディ２０３側に光学特性に応じた良否情報をレンズ制御装置２０６が送信
し、カメラボディ２０３側でボディ制御装置２１４が該良否情報に応じて第１像ズレ検出
演算処理と第２像ズレ検出演算処理とを切替えてもよい。
【０１２０】
また、予めカメラボディ２０３側に光学特性の良好でないレンズの識別情報をピックア
ップしたテーブルを備えておき、カメラボディ２０３に装着した交換レンズ２０２のレン
ズの識別情報が、該テーブルにピックアップされたレンズ識別情報に一致する場合には、
ボディ制御装置２１４が、装着した交換レンズ２０２のレンズの光学特性は良好でないと
判定するようにしてもよい。
【０１２１】
−第１および第２像ズレ検出演算処理を絞りＦ値に応じて使い分ける場合−
図２０は第１像ズレ検出演算処理と第２像ズレ検出演算処理とを、撮影光学系の光学特
性、例えば絞りＦ値に応じて使い分ける場合の、ボディ制御装置２１４による動作を示す
フローチャートである。本フローチャートは、図６のステップＳ１３０からステップＳ１
３８までの処理に置き換わる処理を示す。
【０１２２】
ステップＳ４３０では、ボディ制御装置２１４は、レンズ制御装置２０６から、光学特
性の情報として、絞りＦ値情報、すなわちその時点での制御Ｆ値情報を受信する。
【０１２３】
ステップＳ４３１では、ボディ制御装置２１４は、受信した光学特性の情報、すなわち
絞りＦ値情報に基づいて、第１像ズレ検出演算処理による誤差が生じやすい状態か否か、
すなわち一対の焦点検出光束により形成される一対の被写体像の同一性が良好か否かを判
定する。具体的には、絞りＦ値が所定値以上の暗い光量に対応するＦ値の場合には、図１
０に示した一対の点像分布の裾野の広がりがピーク部の大きさに比較して小さくなるため
に、ボディ制御装置２１４は第１像ズレ検出演算処理による誤差が生じにくいと判断する
。本処理はステップＳ４３２に進み、ボディ制御装置２１４は、ステップＳ１２０で読み
出した一対の被写体像信号のデータに基づき第１像ズレ検出演算処理を行い、第１像ズレ
量ｓｈｆｔ１を算出する。第１像ズレ検出演算処理は、上述したように、一対の被写体像
信号の一致度に基づく像ズレ検出演算処理である。
【０１２４】
ステップＳ４３３では、ボディ制御装置２１４は、ステップＳ４３２で算出した第１像
ズレ量ｓｈｆｔ１をデフォーカス量に変換し、本処理は、図６のステップＳ１４０に進む
。
【０１２５】
一方、ステップＳ４３１で、絞りＦ値が所定値未満の明るい光量に対応する明るいＦ値
の場合には、図１０に示した一対の点像分布の裾野の広がりがピーク部の大きさに比較し
て大きくなるために、ボディ制御装置２１４は第１像ズレ検出演算処理による誤差が生じ
やすいと判断する。本処理はステップＳ４３４に進み、ボディ制御装置２１４は、ステッ
プＳ１２０で読み出した一対の被写体像信号のデータに基づき第２像ズレ検出演算処理を
行い、第２像ズレ量ｓｈｆｔ２を算出する。第２像ズレ検出演算処理は、上述したように
、合成被写体像信号の像品質評価値に基づく像ズレ検出演算処理である。
【０１２６】
ステップＳ４３５では、ボディ制御装置２１４は、ステップＳ４３４で算出した第２像
ズレ量ｓｈｆｔ２をデフォーカス量に変換し、本処理は、図６のステップＳ１４０に進む
。
【０１２７】
このようにすれば、撮影光学系の光学特性に含まれる絞りＦ値が大きくて第１像ズレ検
出演算処理の誤差が生じにくい場合には、比較的演算規模が少ないために処理時間が短い
第１像ズレ検出演算処理が用いられる。そのため、焦点調節のレスポンスを高くすること
が出来る。それとともに、撮影光学系の絞りＦ値が小さくて第１像ズレ検出演算処理の誤
差が生じやすい場合には、高精度な第２像ズレ検出演算処理を用いることにより正確な焦
点調節を行うことができる。
【０１２８】
−第１および第２像ズレ検出演算処理を像高や射出瞳距離に応じて使い分ける場合−
焦点検出エリアが画面中心に限らず画面周辺の位置にも存在する場合には、焦点検出に
使用する焦点検出エリアの位置、すなわちその焦点検出エリアの画面中央からの距離を表
す像高や、撮影光学系の光学特性、例えば射出瞳距離に応じて第１像ズレ検出演算処理と
第２像ズレ検出演算処理とを使い分けることもできる。焦点検出に使用する焦点検出エリ
アには一対の被写体像信号が生成される一対の焦点検出画素が配置されているので、像高
は光軸に対して一対の被写体像信号が生成される位置ということもできる。
【０１２９】
図２１は、このような場合の撮影画面上における焦点検出エリアの位置を示す図であり
、矩形の撮影画面１００上の中央（光軸上）および水平垂直方向の周辺の合計２５カ所に
焦点検出リア１０２が配置される。長方形で示す焦点検出エリア１０２の長手方向、すな
わち水平方向に、焦点検出画素が直線的に配列される。
【０１３０】
図２２は焦点検出エリアの位置、すなわちその焦点検出エリアの画面中央からの距離を
表す像高と、撮影光学系の光学特性、例えば射出瞳距離とに応じて、第１像ズレ検出演算
処理と第２像ズレ検出演算処理とを使い分ける場合の、ボディ制御装置２１４による動作
を示すフローチャートである。本フローチャートは、図６のステップＳ１３０からステッ
プＳ１３８までの処理に置き換わる処理を示す。なお焦点検出に使用する焦点検出エリア
の位置はユーザーにより手動で選択されるものとする。
【０１３１】
ステップＳ５３０では、ボディ制御装置２１４は、レンズ制御装置２０６から、光学特
性の情報として、射出瞳距離データを受信する。
【０１３２】
ステップＳ５３１では、ボディ制御装置２１４は、受信した光学特性の情報、すなわち
射出瞳距離データに基づいて、第１像ズレ検出演算処理による誤差が生じやすい状態か否
か、すなわち一対の焦点検出光束により形成される一対の被写体像の同一性が良好か否か
を判定する。具体的には、射出瞳距離が所定距離範囲以内である場合には、ボディ制御装
置２１４は、一対の焦点検出光束の絞り開口によるケラレが略均一に生じるため一対の点
像分布の同一性も高いと判定して、本処理はステップＳ５３５以降の第１像ズレ検出演算
処理に進む。射出瞳距離が、図５に示した測距瞳距離ｄの近傍であるとき、すなわちｄ±
所定距離以内であるとき、射出瞳距離が所定距離範囲以内と判定される。射出瞳距離が所
定距離範囲外である場合には、ボディ制御装置２１４は、一対の焦点検出光束の絞り開口
によるケラレが不均一に生じるため一対の点像分布の同一性も崩れやすいと判定して、本
処理はステップＳ５３２に進む。射出瞳距離が、図５に示した測距瞳距離ｄから離れてい
るとき、すなわちｄ±所定距離外であるとき、射出瞳距離が所定距離範囲外であると判定
される。
【０１３３】
ステップＳ５３２では、ボディ制御装置２１４は、ユーザーにより選択された焦点検出
エリアが画面周辺に位置するか否かを判定する。選択された焦点検出エリアの画面中心か
らの距離を表す像高が所定値以上であるとき、選択された焦点検出エリアが画面周辺に位
置すると判定される。選択された焦点検出エリアが画面周辺に位置する場合は、ボディ制
御装置２１４は、一対の焦点検出光束の絞り開口によるケラレの不均一性が拡大されるた
め一対の点像分布の同一性も崩れると判定する。ボディ制御装置２１４は、このような状
態でも誤差を生じにくい像ズレ検出を行うために、本処理を、ステップＳ５３３以降の第
２像ズレ検出演算処理に進める。選択された焦点検出エリアが画面中央近傍に位置する場
合には、ボディ制御装置２１４は、一対の焦点検出光束の絞り開口によるケラレの不均一
が少なく、一対の点像分布の同一性も高いと判定して、本処理を、ステップＳ５３５以降
の第１像ズレ検出演算処理に進める。
【０１３４】
ステップＳ５３３では、ボディ制御装置２１４は、ステップＳ１２０で読み出した一対
の被写体像信号のデータに基づき第２像ズレ検出演算処理を行い、第２像ズレ量ｓｈｆｔ
２を算出する。第２像ズレ検出演算処理は、上述したように、合成被写体像信号の像品質
評価値に基づく像ズレ検出演算処理である。
【０１３５】
ステップＳ５３４では、ボディ制御装置２１４は、ステップＳ５３３で算出した第２像
ズレ量ｓｈｆｔ２をデフォーカス量に変換し、本処理は、図６のステップＳ１４０に進む
。
【０１３６】
ステップＳ５３５では、ボディ制御装置２１４は、ステップＳ１２０で読み出した一対
の被写体像信号のデータに基づき第１像ズレ検出演算処理を行い、第１像ズレ量ｓｈｆｔ
１を算出する。第１像ズレ検出演算処理は、上述したように、一対の被写体像信号の一致
度に基づく像ズレ検出演算処理である。
【０１３７】
ステップＳ５３６では、ボディ制御装置２１４は、ステップＳ５３５で算出した第１像
ズレ量ｓｈｆｔ１をデフォーカス量に変換し、本処理は、図６のステップＳ１４０に進む
。
【０１３８】
撮影光学系の射出瞳距離が測距瞳距離ｄの近傍であるか、または焦点検出エリアの位置
が画面中心近傍にあるとき、一対の焦点検出光束の絞りによる不均一なケラレが生じ難い
。しかし、上記のようにすれば、一対の焦点検出光束の絞りによる不均一なケラレが生じ
難い状態であるために、第１像ズレ検出演算処理の誤差が生じにくい場合には、比較的演
算規模が少ないために処理時間が短い第１像ズレ検出演算処理が用いられるので、焦点調
節のレスポンスを高くすることが出来る。撮影光学系の射出瞳距離が測距瞳距離ｄから離
れているとき、または焦点検出エリアの位置が画面周辺にあるとき、一対の焦点検出光束
の絞りによる不均一なケラレが生じ易い。しかし、上記のようにすれば、一対の焦点検出
光束の絞りによる不均一なケラレが生じ易い状態であるために、第１像ズレ検出演算処理
の誤差が生じやすい場合には、高精度な第２像ズレ検出演算処理が用いられるので、正確
な焦点調節を行うことができる。
【０１３９】
なお、第１および第２像ズレ検出演算処理を、像高および射出瞳距離のいずれか一方の
みに応じて使い分けることとしてもよい。すなわち、図２２において、ステップＳ５３１
およびステップＳ５３２における判定処理のうちのいずれか一方の判定のみが行われるこ
ととしてもよい。
【０１４０】
−第１および第２像ズレ検出演算処理をＡＦの必要検出精度に応じて使い分ける場合−
図２３は、第１像ズレ検出演算処理と第２像ズレ検出演算処理とを、必要なデフォーカ
ス量検出精度、すなわちユーザーにより設定されるＡＦ精度関連の設定状態に応じて使い
分ける場合の、ボディ制御装置２１４による動作を示すフローチャートである。本フロー
チャートは、図６のステップＳ１３０からステップＳ１３８までの処理に置き換わる処理
を示す。
【０１４１】
ステップＳ６３０では、ボディ制御装置２１４は、ユーザーにより設定されるＡＦ精度
関連の設定状態を検出する。ＡＦ精度関連の設定とは、例えば直接的にＡＦ精度優先とＡ
Ｆレスポンス優先とを切替える場合の切替え選択設定であっても良いし、間接的にＡＦ精
度優先とＡＦレスポンス優先とを切替える場合の切替え選択設定であっても良い。間接的
にＡＦ精度優先とＡＦレスポンス優先とを切替える場合の切替え選択設定とは、例えばワ
ンショットＡＦモードとコンティニュアスＡＦモードとの切替え選択設定であり、いずれ
かのモードをユーザが選択することに連動して、ＡＦ精度優先とＡＦレスポンス優先のい
ずれかが選択される。ワンショットＡＦモードにおいては、合焦状態に到達後はレンズ駆
動を禁止するので、高いＡＦ精度が要求されることとなり、ＡＦ精度優先となる。コンテ
ィニュアスＡＦモードにおいては、連続撮影のため、検出された焦点調節状態に応じて常
時レンズ駆動を行うので、迅速性が要求されることとなり、ＡＦレスポンス優先となる。
【０１４２】
ステップＳ６３１では、ボディ制御装置２１４は、検出したＡＦ精度関連の設定状態に
基づいて、ＡＦ精度が優先されているか否かを判定する。本処理は、ＡＦ精度が優先され
ている場合にはステップＳ６３４に進み、ＡＦ精度が優先されていない場合、すなわちＡ
Ｆ精度以外のＡＦ特性、例えばＡＦレスポンスが優先されている場合は、ステップＳ６３
２に進む。
【０１４３】
ステップＳ６３２では、ボディ制御装置２１４は、ステップＳ１２０で読み出した一対
の被写体像信号のデータに基づき第１像ズレ検出演算処理を行い、第１像ズレ量ｓｈｆｔ
１を算出する。第１像ズレ検出演算処理は、上述したように、一対の被写体像信号の一致
度に基づく像ズレ検出演算処理である。
【０１４４】
ステップＳ６３３では、ボディ制御装置２１４は、ステップＳ６３２で算出した第１像
ズレ量ｓｈｆｔ１をデフォーカス量に変換し、本処理は、図６のステップＳ１４０に進む
。
【０１４５】
ステップＳ６３４では、ボディ制御装置２１４は、ステップＳ１２０で読み出した一対
の被写体像信号のデータに基づき第２像ズレ検出演算処理を行い、第２像ズレ量ｓｈｆｔ
２を算出する。第２像ズレ検出演算処理は、上述したように、合成被写体像信号の像品質
評価値に基づく像ズレ検出演算処理である。
【０１４６】
ステップＳ６３５では、ボディ制御装置２１４は、ステップＳ３３４で算出した第２像
ズレ量ｓｈｆｔ２をデフォーカス量に変換し、本処理は、図６のステップＳ１４０に進む
。
【０１４７】
このようにすれば、像ズレ検出に要求される精度が比較的ゆるい場合には、比較的演算
規模が少ないために処理時間が短い第１像ズレ検出演算処理が用いられる。そのため、焦
点調節のレスポンスを高くすることが出来る。それとともに、撮影光学系の像ズレ検出に
要求される精度が比較的厳しい場合には、高精度な第２像ズレ検出演算処理を用いること
により正確な焦点調節を行うことができる。
【０１４８】
ＡＦ精度に関する設定は上述のようにユーザーによる手動設定でもよいし、カメラボデ
ィ２０３のボディ制御装置２１４が自動的に設定するものであってもよい。例えばカメラ
ボディ２０３のボディ制御装置２１４が、読み出した画像データに基づいて輝度検出を行
い、高輝度の場合にはＡＦ精度優先、低輝度の場合にはＡＦレスポンス優先の自動設定を
行うことも可能である。また、カメラボディ２０３のボディ制御装置２１４が、読み出し
た画像データに基づいて、被写体が移動被写体であるか、静止被写体であるかについての
検出を行い、静止被写体の場合にはＡＦ精度優先、移動被写体の場合にはＡＦレスポンス
優先の自動設定を行うことも可能である。また、カメラボディ２０３のボディ制御装置２
１４が、読み出した画像データまたは不図示の加速度センサー出力に基づいて、カメラボ
ディ２０３のブレ状態を表すブレ量の検出を行い、ブレが少ない場合、すなわちブレ量が
所定値以内の場合にはＡＦ精度優先、ブレが大きい、すなわちブレ量が所定値以上の場合
にはＡＦレスポンス優先の自動設定を行うことも可能である。
【０１４９】
−第１および第２像ズレ検出演算処理を一対の被写体像品質に応じて使い分ける場合−
図２４は第１像ズレ検出演算処理と第２像ズレ検出演算処理とを、像ズレ検出に用いる
一対の焦点検出画素のデータに基づいて評価した一対の被写体像の像品質に応じて使い分
ける場合のフローチャートである。本フローチャートは、図６のステップＳ１３０からス
テップＳ１３８までの処理に置き換わる処理を示す。
【０１５０】
ステップＳ７３０では、ボディ制御装置２１４は、像ズレ検出に用いる一対の焦点検出
画素のデータに基づいて一対の被写体像の像品質の評価値を算出する。具体的には、前述
した合成被写体像信号の像品質評価値Ｐ（ｋ）を求める演算と同様な演算により一対の被
写体像信号の像品質評価値Ｑを算出することができる。一対の焦点検出画素が出力する一
対の被写体像信号データＡ（ｎ）、Ｂ（ｎ）に基づき、例えば（１１）式と同様な鮮鋭度
評価演算の（１７）式により、像品質評価値Ｑを算出することができる。
Ｑ＝Σ（｜Ａ（ｎ）−Ａ（ｎ＋ｖ）｜＋｜Ｂ（ｎ）−Ｂ（ｎ＋ｖ）｜）       （１７） 
【０１５１】
（１７）式において、Σ演算は変数ｎの範囲について計算される。（１７）式は一対の
焦点検出画素が出力する一対の被写体像信号データＡ（ｎ）、Ｂ（ｎ）の、所定データ間
隔を表す整数ｖにおける１階差分の絶対値の総和を算出する演算を表す。一対の焦点検出
画素が出力する一対の被写体像信号データＡ（ｎ）、Ｂ（ｎ）の鮮鋭度が高いほど差分量
は大きくなるので像品質評価値Ｑも大きな値となる。１階差分量は一対の被写体像のエッ
ジ部の傾斜量に対応し、傾斜が急峻なほど鮮鋭に見えるので、（１７）式は一対の被写体
像信号の像品質、すなわち鮮鋭度を評価する演算と言える。なお（１７）式は一対の焦点
検出画素が出力する一対の被写体像信号データＡ（ｎ）、Ｂ（ｎ）の両方について演算を
行っているが、どちらか一方のみであってもかまわない。
【０１５２】
ステップＳ７３１では、一対の被写体像信号の像品質評価値に基づいて、一対の被写体
像の像品質が良好であるか否かを判定する。本処理は、一対の被写体像の像品質が良好で
ある場合、すなわち像品質評価値が所定値以上の場合にはステップＳ７３４に進み、一対
の被写体像の像品質が良好でない場合、すなわち像品質評価値が所定値未満の場合にはス
テップＳ７３２に進む。
【０１５３】
ステップＳ７３２では、ボディ制御装置２１４は、ステップＳ１２０で読み出した一対
の被写体像信号のデータに基づき第１像ズレ検出演算処理を行い、第１像ズレ量ｓｈｆｔ
１を算出する。第１像ズレ検出演算処理は、上述したように、一対の被写体像信号の一致
度に基づく像ズレ検出演算処理である。
【０１５４】
ステップＳ７３３では、ボディ制御装置２１４は、ステップＳ７３２で算出した第１像
ズレ量ｓｈｆｔ１をデフォーカス量に変換し、本処理は、図６のステップＳ１４０に進む
。
【０１５５】
ステップＳ７３４では、ボディ制御装置２１４は、ステップＳ１２０で読み出した一対
の被写体像信号のデータに基づき第２像ズレ検出演算処理を行い、第２像ズレ量ｓｈｆｔ
２を算出する。第２像ズレ検出演算処理は、上述したように、合成被写体像信号の像品質
評価値に基づく像ズレ検出演算処理である。
【０１５６】
ステップＳ７３５では、ボディ制御装置２１４は、ステップＳ７３４で算出した第２像
ズレ量ｓｈｆｔ２をデフォーカス量に変換し、本処理は、図６のステップＳ１４０に進む
。
【０１５７】
一対の被写体像の像品質が良好でないために第２像ズレ検出演算による精度が悪化する
場合がある。例えば、デフォーカス量が大きく像ボケにより高周波成分がなくなっている
場合である。そのような高周波成分が少ない場合でも、第１像ズレ検出演算処理によれば
、比較的精度の高い像ズレ検出が可能である。上述したステップＳ７３１において一対の
被写体像の像品質が良好でないと判定された場合は、ステップＳ７３２で第１像ズレ検出
演算処理が用いられるので、焦点検出精度を維持できる。それとともに、ステップＳ７３
１において一対の被写体像の像品質が良好であるために第２像ズレ検出演算による高精度
な像ズレ検出が期待できる場合、例えば合焦近傍で高周波成分が多い場合には、ステップ
Ｓ７３４で高精度な第２像ズレ検出演算処理が用いられるので、正確な焦点調節を行うこ
とができる。
【０１５８】
ステップＳ７３０では、一対の焦点検出画素が出力する一対の被写体像信号データＡ（
ｎ）、Ｂ（ｎ）に基づき、一対の被写体像信号の像品質評価値Ｑとして鮮鋭度を用いるこ
ととし、鮮鋭度評価演算の（１７）式により、像品質評価値Ｑを算出する。しかし、像品
質評価値として、鮮鋭度の代わりに一対の被写体像信号の解像度を用いることとしてもよ
い。その場合は、（１７）式の代わりに、例えば以下の（１８）式を用いる。
Ｑ＝Σ（｜−Ａ（ｎ−ｖ）＋２×Ａ（ｎ）−Ａ（ｎ＋ｖ）｜
＋｜−Ｂ（ｎ−ｖ）＋２×Ｂ（ｎ）−Ｂ（ｎ＋ｖ）｜）         （１８） 
【０１５９】
像品質評価値Ｑとして、鮮鋭度の代わりに一対の被写体像信号の周波数特性（ＭＴＦ）
を用いることとしてもよい。図１７を用いて合成被写体像信号のＭＴＦに関する像品質評
価値Ｐ（ｋ）を求める方法と同様にして、一対の被写体像の像品質に寄与する高周波帯域
に渡って合成被写体像信号のＭＴＦを積分した値を像品質評価値Ｑとしてもよい。
【０１６０】
上述した種々の条件に応じた第１像ズレ検出演算処理と第２像ズレ検出演算処理との使
い分けに関しては、複数組み合わせて用いることができる。
【０１６１】
例えば図６に示すフローチャートにおいて、ステップＳ１３６からステップＳ１３７ま
での間に、さらに図１９のステップＳ３３０とステップＳ３３１とを挿入する。ステップ
Ｓ３３１において光学特性が良好と判定された場合には、本処理は図６のステップＳ１４
０に進み、ステップＳ３３１において光学特性が良好でないと判定された場合には、本処
理は図６のステップＳ１３７に進むようにしてもよい。その様子を図２５に示す。
【０１６２】
このように複数の条件を組み合わせることにより、第１像ズレ検出演算処理と第２像ズ
レ検出演算処理とをより適切に使い分けることができる。
【０１６３】
上述した実施の形態では、マイクロレンズを用いた瞳分割位相差検出方式による焦点検
出動作を例にとって説明したが、本発明はこのような方式の焦点検出に限定されず、周知
の再結像瞳分割位相差検出方式の焦点検出にも適用可能である。
【０１６４】
再結像瞳分割位相差検出方式においては、１次像面上に形成される被写体像を一対のセ
パレータレンズを用い、一対の測距瞳を通過する一対の焦点検出光束が形成する一対の被
写体像として一対のイメージセンサ上に再結像し、該一対のイメージセンサの出力に基づ
き、上記一対の被写体像の像ズレ量を検出している。従って撮影光学系の光学特性が良好
でない場合には、上記一対の被写体像の信号パターン（形状）の同一性が崩れ、一対の被
写体像信号の一致度が悪化するという、マイクロレンズを用いた瞳分割位相差検出方式と
同様な問題が発生する。そのような場合に、高精度な第２像ズレ検出演算処理を用いるこ
とにより正確な焦点調節を行うことができる。撮影光学系の光学特性が良好な場合には、
比較的演算規模が少ないために処理時間が短い第１像ズレ検出演算処理が用いられる。
【０１６５】
なお、焦点検出装置が適用される撮像装置としては、上述したようなカメラボディ２０
３に交換レンズ２０２が装着される構成のデジタルカメラ２０１に限定されない。例えば
レンズ一体型のデジタルカメラあるいはビデオカメラにも本発明を適用することができる
。さらには、携帯電話などに内蔵される小型カメラモジュール、監視カメラやロボット用
の視覚認識装置、車載カメラなどにも適用することができる。
【符号の説明】
【０１６６】
１０  マイクロレンズ、１１，１５，１６  光電変換部、
４１，４２  上部、４３，４４  下部、４５，４６，４７，４８  エッジ部、
５１，５５，５６、点像分布、６５，６６，６７，６８  被写体像、
７１，７５，７６  光束、９０  射出瞳、９１  光軸、  ９５，９６  測距瞳、９７  領
域、
９８  予定焦点面、９９  面、
１００  撮影画面、１０１，１０２  焦点検出エリア、
２０１  デジタルカメラ、２０２  交換レンズ、２０３  カメラボディ、
２０４  マウント部、２０６  レンズ制御装置、
２０８  ズーミングレンズ、２０９  レンズ、２１０  フォーカシングレンズ、
２１１  絞り、２１２  撮像素子、２１３  電気接点、
２１４  ボディ制御装置、
２１５  液晶表示素子駆動回路、２１６  液晶表示素子、２１７  接眼レンズ、
２１９  メモリカード、２２１  ＡＤ変換装置、
３１０  撮像画素、３１５，３１６  焦点検出画素、
１５１０，１６１０，１７１０  実線、１７２０  斜線部
【図１】
2018049281.tif 000003
【図２】
2018049281.tif 000004
【図３】
2018049281.tif 000005
【図４】
2018049281.tif 000006
【図５】
2018049281.tif 000007
【図６】
2018049281.tif 000008
【図７】
2018049281.tif 000009
【図８】
2018049281.tif 000010
【図９】
2018049281.tif 000011
【図１０】
2018049281.tif 000012
【図１１】
2018049281.tif 000013
【図１２】
2018049281.tif 000014
【図１３】
2018049281.tif 000015
【図１４】
2018049281.tif 000016
【図１５】
2018049281.tif 000017
【図１６】
2018049281.tif 000018
【図１７】
2018049281.tif 000019
【図１８】
2018049281.tif 000020
【図１９】
2018049281.tif 000021
【図２０】
2018049281.tif 000022
【図２１】
2018049281.tif 000023
【図２２】
2018049281.tif 000024
【図２３】
2018049281.tif 000025
【図２４】
2018049281.tif 000026
【図２５】
2018049281.tif 000027